(57)【要約】【課題】装着時の煩雑さを解消した「ワイヤレスヘッドホン装置」を提供する。【解決手段】切替制御部２３は、波高値検出部２２によって検出される、第１受光部１３が受光した赤外線信号の波高値及び第２受光部１４が受光した赤外線信号の波高値の大小によって、第１スピーカ１１及び第２スピーカ１２の左右を特定し、左側のスピーカに左のオーディオ信号が入力され、右側のスピーカに右のオーディオ信号が入力されるように、出力切替部２４を制御する。【選択図】  図３
2007174383.tif 000002
【特許請求の範囲】
【請求項１】
２つのスピーカと、
前記スピーカにおける少なくとも２箇所に配置され、送信部からの左右のオーディオ信号を含んだ無線信号を受信する複数の受信手段と、
前記受信手段のそれぞれにより受信される無線信号の波高値と、前記送信部に対するユーザの向きとに基づいて、前記ユーザにおける左側のスピーカ及び右側のスピーカを特定し、前記左のオーディオ信号を、前記ユーザにおける左側のスピーカに出力し、前記右のオーディオ信号を、前記ユーザにおける右側のスピーカに出力する制御を行う出力制御手段とを有することを特徴とするワイヤレスヘッドホン装置。
【請求項２】
前記出力制御手段は、前記送信部に対する前記ユーザの向きが予め定められる場合に、該ユーザの向きに基づいて、前記ユーザにおける左側のスピーカ及び右側のスピーカを特定することを特徴とする請求項１に記載のワイヤレスヘッドホン装置。
【請求項３】
前記受信手段は、前記スピーカが前記ユーザに装着された場合に、前記ユーザの前方側となる位置と後方側となる位置とに配置され、
前記出力制御手段は、前記受信手段のそれぞれにより受信される無線信号の波高値を検出し、前記スピーカにおける、前記波高値が高い方の無線信号を受信した前記受信手段が配置された側を前記ユーザの前方側とみなして、前記ユーザにおける左側のスピーカ及び右側のスピーカを特定することを特徴とする請求項２に記載のワイヤレスヘッドホン装置。
【発明の詳細な説明】
【技術分野】
【０００１】
本発明は、左右のオーディオ信号を含んだ無線信号を受信して、スピーカから音を出力するワイヤレスヘッドホン装置に関する。
【背景技術】
【０００２】
近年、接続線の引き回しが不要である等の利点により、ワイヤレスヘッドホン装置が普及しつつある。このワイヤレスヘッドホン装置は、スピーカ等に設けられた受信部が左右のオーディオ信号を含んだ赤外線信号等を受信し、そのオーディオ信号に対応する音をスピーカから出力する（例えば、特許文献１参照）。
【特許文献１】特開２００４−２３６１２９号公報
【発明の開示】
【発明が解決しようとする課題】
【０００３】
しかし、上述したワイヤレスヘッドホン装置では、左のオーディオ信号に対応する音を出力するスピーカと、右のオーディオ信号に対応する音を出力するスピーカとが予め定められている。また、一般のヘッドホン装置は、一方のスピーカの側から接続線が引き出されて左右非対称になっているために、ユーザがスピーカの左右を判別しやすいのに対し、ワイヤレスヘッドホン装置は、接続線の引き出しがなく殆どが左右対称となっているため、ユーザが左右反対に装着してしまう場合も多い。従って、ユーザがワイヤレスヘッドホン装置を装着し直すことが起きやすく煩雑である。
【０００４】
本発明の目的は、上述した問題を解決するものであり、装着時の煩雑さを解消したワイヤレスヘッドホン装置を提供するものである。
【課題を解決するための手段】
【０００５】
本発明のワイヤレスヘッドホン装置は、２つのスピーカと、前記スピーカにおける少なくとも２箇所に配置され、送信部からの左右のオーディオ信号を含んだ無線信号を受信する複数の受信手段と、前記受信手段のそれぞれにより受信される無線信号の波高値と、前記送信部に対するユーザの向きとに基づいて、前記ユーザにおける左側のスピーカ及び右側のスピーカを特定し、前記左のオーディオ信号を、前記ユーザにおける左側のスピーカに出力し、前記右のオーディオ信号を、前記ユーザにおける右側のスピーカに出力する制御を行う出力制御手段とを有することを特徴とする。
【０００６】
この構成によれば、受信手段のそれぞれにより受信される無線信号の波高値は、その無線信号を送信する送信部と受信手段との位置関係によって異なるため、その無線信号の波高値と、送信部に対するユーザの向きとに基づいて、ユーザにおけるワイヤレスヘッドホン装置の装着の向きを特定することが可能である。更には、従来のように、左のオーディオ信号に対応する音を出力するスピーカと、右のオーディオ信号に対応する音を出力するスピーカとが固定されず、ユーザにおける装着の向きに応じて、左のオーディオ信号をユーザにおける左側のスピーカに出力し、右のオーディオ信号をユーザにおける右側のスピーカに出力することにより、ユーザはスピーカの左右を意識することなく、ワイヤレスヘッドホン装置を装着することができる。
【０００７】
また、本発明のワイヤレスヘッドホン装置は、前記出力制御手段が、前記送信部に対する前記ユーザの向きが予め定められる場合に、該ユーザの向きに基づいて、前記ユーザにおける左側のスピーカ及び右側のスピーカを特定するようにしてもよい。
【０００８】
この構成により、ユーザが送信部に対して正対する等、送信部に対するユーザの向きが予め定められる場合には、その送信部に対するユーザの向きに基づいて、ユーザにおけるワイヤレスヘッドホン装置の装着の向きを的確に特定することができる。
【０００９】
また、本発明のワイヤレスヘッドホン装置は、前記受信手段が、前記スピーカが前記ユーザに装着された場合に、前記ユーザの前方側となる位置と後方側となる位置とに配置され、前記出力制御手段が、前記受信手段のそれぞれにより受信される無線信号の波高値を検出し、前記スピーカにおける、前記波高値が高い方の無線信号を受信した前記受信手段が配置された側を前記ユーザの前方側とみなして、前記ユーザにおける左側のスピーカ及び右側のスピーカを特定するようにしてもよい。
【００１０】
この構成により、ユーザが無線信号を送信する送信部に対して正対している場合に、前後の受信手段のそれぞれにより受信される無線信号の波高値差が大きくなるため、ユーザにおけるワイヤレスヘッドホン装置の装着の向きをより的確に特定することができる。
【発明の効果】
【００１１】
本発明によれば、ユーザは、スピーカの左右を意識することなくワイヤレスヘッドホン装置を装着することができ、装着時の煩雑さが解消される。
【発明を実施するための最良の形態】
【００１２】
以下、本発明の実施の形態について、図面を参照して具体的に説明する。
【００１３】
図１は、本発明の実施形態にかかる車載用オーディオシステムの外観図である。図１に示す車載用オーディオシステムは、ワイヤレスヘッドホン装置１０とオーディオ装置本体３０とにより構成される。これらのうち、ワイヤレスヘッドホン装置１０は、音出力を行う第１スピーカ１１及び第２スピーカ１２を有する。一方、オーディオ装置本体３０は、曲名等を表示する表示部３１と、当該表示部３１の下部に設けられて左右のオーディオ信号を含んだ赤外線信号を送出する発光部３２とを有する。ワイヤレスヘッドホン装置１０を装着するユーザ５０は、通常、表示部３１に表示される曲名等を見るため、発光部３２に対して正対する。
【００１４】
図２は、ワイヤレスヘッドホン装置１０の詳細な外観図である。図２に示すように、第１スピーカ１１には、第１受光部１３及び第２受光部１４が配置され、第２スピーカ１２には、第３受光部１５及び第４受光部１６が配置されている。これら第１受光部１３乃至第４受光部１６は、オーディオ装置本体３０の発光部３２から送出される左右のオーディオ信号を含んだ赤外線信号を受光する。
【００１５】
第１スピーカ１１がユーザ５０の左耳に装着され、第２スピーカ１２がユーザ５０の右耳に装着された場合、第１受光部１３及び第３受光部１５はユーザ５０の前方側に位置し、第２受光部１４及び第４受光部１６はユーザ５０の後方側に位置する。
【００１６】
図３は、ワイヤレスヘッドホン装置１０内に構成される信号出力回路の構成を示す図である。図３に示す信号出力回路２０は、赤外線チューナ２１、波高値検出部２２、切替制御部２３、出力切替部２４及びアンプ２５により構成される。
【００１７】
赤外線チューナ２１は、第１受光部１３及び第２受光部１４によって受光された赤外線信号を入力し、当該赤外線信号に含まれる左オーディオ信号及び右オーディオ信号を抽出し、それぞれ出力切替部２４へ出力する。ここで、赤外線チューナ２１は、第１受光部１３及び第２受光部１４によって受光された赤外線信号のうち、波高値の大きい赤外線信号に含まれる左のオーディオ信号及び右のオーディオ信号を出力切替部２４へ出力してもよく、第１受光部１３及び第２受光部１４によって受光された赤外線信号のそれぞれに含まれる左のオーディオ信号の平均値となる信号及び右のオーディオ信号の平均値となる信号を出力切替部２４へ出力してもよい。
【００１８】
波高値検出部２２は、第１受光部１３及び第２受光部１４によって受光された赤外線信号を入力し、これら赤外線信号の波高値（レベル）を検出する。検出された波高値は、切替制御部２３へ送られる。
【００１９】
切替制御部２３は、波高値検出部２２によって検出された第１受光部１３及び第２受光部１４によって受光された赤外線信号の波高値と、発光部３２に対するユーザ５０の向きとに基づいて、第１スピーカ１１及び第２スピーカ１２について、ユーザ５０の左耳に装着されるスピーカ（左側のスピーカ）と、ユーザ５０の右耳に装着されるスピーカ（右側のスピーカ）とを特定し、その装着の向きに基づいて、出力切替部２４における左オーディオ信号及び右オーディオ信号の出力を制御する。
【００２０】
出力切替部２４は、切替制御部２３の制御により、左のオーディオ信号が第１スピーカ１１及び第２スピーカ１２のうちの左側のスピーカに入力され、右のオーディオ信号が第１スピーカ１１及び第２スピーカ１２のうちの右側のスピーカに出力入力されるように、左右のオーディオ信号を出力する。アンプ２５は、出力切替部２４からの左のオーディオ信号を増幅して第１スピーカ１１及び第２スピーカ１２のうちの左側のスピーカに出力し、右のオーディオ信号を増幅して第１スピーカ１１及び第２スピーカ１２のうちの左側のスピーカに出力する。第１スピーカ１１及び第２スピーカ１２は、入力したオーディオ信号に基づく音出力を行う。
【００２１】
以下、フローチャートを参照しつつ、信号出力回路２０の動作を説明する。図４は、信号出力回路２０の動作を示すフローチャートである。
【００２２】
信号出力回路２０内の波高値検出部２２は、第１受光部１３及び第２受光部１４のそれぞれが受光した赤外線信号の波高値を検出する（Ｓ１０１）。検出された波高値は、切替制御部２３へ送られる。
【００２３】
切替制御部２３は、第１受光部１３が受光した赤外線信号の波高値が、第２受光部１４が受光した赤外線信号の波高値よりも大きいか否かを判定する（Ｓ１０２）。第１受光部１３が受光した赤外線信号の波高値が、第２受光部１４が受光した赤外線信号の波高値よりも大きい場合には、ユーザ５０が発光部３２に対して正対していることを考慮すると、第１スピーカ１１における、波高値の大きい赤外線信号を受信した第１受光部１３が配置された側が発光部３２に正対する前方側であり、波高値の小さい赤外線信号を受信した第２受光部１４が配置された側が後方側である。従って、切替制御部２３は、第１スピーカ１１がユーザ５０の左耳に装着されてユーザ５０における左側のスピーカであると特定し、第２スピーカ１２がユーザの右耳に装着されてユーザ５０における右側のスピーカであると特定する。
【００２４】
そして、切替制御部２３は、ユーザ５０における左側のスピーカである第１スピーカ１３に左のオーディオ信号が入力され、ユーザ５０における右側のスピーカである第２スピーカに右のオーディオ信号が入力されるように、出力切替部２４を制御する（Ｓ１０３）。出力切替部２４は、この切替制御部２３の制御により、左のオーディオ信号が第１スピーカ１１に入力され、右のオーディオ信号が第２スピーカ１２のうちの右側のスピーカに出力入力されるように、左右のオーディオ信号を出力する。出力切替部２４から出力される左のオーディオ信号は、アンプ２５によって増幅された後、第１スピーカ１１に入力されて音出力が行われ、出力切替部２４から出力される右のオーディオ信号は、アンプ２５によって増幅された後、第２スピーカ１２に入力されて音出力が行われる。
【００２５】
一方、第１受光部１３が受光した赤外線信号の波高値が、第２受光部１４が受光した赤外線信号の波高値よりも小さい場合（Ｓ１０２において否定判断した場合）には、ユーザ５０が発光部３２に対して正対していることを考慮すると、第１スピーカ１１における、波高値の小さい赤外線信号を受信した第１受光部１３が配置された側が後方側であり、波高値の大きい赤外線信号を受信した第２受光部１４が配置された側が前方側である。従って、切替制御部２３は、第１スピーカ１１がユーザ５０の右耳に装着されてユーザ５０における右側のスピーカであると特定し、第２スピーカ１２がユーザの左耳に装着されてユーザ５０における左側のスピーカであると特定する。
【００２６】
そして、切替制御部２３は、ユーザ５０における右側のスピーカである第１スピーカ１３に右のオーディオ信号が入力され、ユーザ５０における左側のスピーカである第２スピーカに左のオーディオ信号が入力されるように、出力切替部２４を制御する（Ｓ１０４）。出力切替部２４は、この切替制御部２３の制御により、右のオーディオ信号が第１スピーカ１１に入力され、左のオーディオ信号が第２スピーカ１２のうちの右側のスピーカに入力されるように、左右のオーディオ信号を出力する。出力切替部２４から出力される右のオーディオ信号は、アンプ２５によって増幅された後、第１スピーカ１１に入力されて音出力が行われ、出力切替部２４から出力される左のオーディオ信号は、アンプ２５によって増幅された後、第２スピーカ１２に入力されて音出力が行われる。
【００２７】
このように、ワイヤレスヘッドホン装置１０において、信号出力回路２０内の切替制御部２３は、第１受光部１３が受光した赤外線信号の波高値及び第２受光部１４が受光した赤外線信号の波高値の大小によって、ユーザ５０におけるワイヤレスヘッドホン装置１０の装着の向き、具体的には、第１スピーカ１１及び第２スピーカ１２の左右を特定し、左側のスピーカに左のオーディオ信号が入力され、右側のスピーカに右のオーディオ信号が入力されるように、出力切替部２４を制御する。従って、従来のように、左のオーディオ信号に対応する音を出力するスピーカと、右のオーディオ信号に対応する音を出力するスピーカとが固定されず、ユーザ５０はスピーカの左右を意識することなく、ワイヤレスヘッドホン装置１０を装着することができる。
【００２８】
なお、上述した実施形態では、第１受光部１３が受光した赤外線信号の波高値と第２受光部１４が受光した赤外線信号の波高値の大小によって、第１スピーカ１１及び第２スピーカ１２の左右が特定されたが、第３受光部１５が受光した赤外線信号の波高値と第４受光部１６が受光した赤外線信号の波高値の大小によっても、同様に第１スピーカ１１及び第２スピーカ１２の左右を特定することが可能である。
【００２９】
具体的には、第３受光部１５が受光した赤外線信号の波高値が、第４受光部１６が受光した赤外線信号の波高値よりも大きい場合には、ユーザ５０が発光部３２に対して正対していることを考慮すると、第２スピーカ１２における、波高値の大きい赤外線信号を受信した第３受光部１４が配置された側が発光部３２に正対する前方側であり、波高値の小さい赤外線信号を受信した第４受光部１６が配置された側が後方側である。従って、切替制御部２３は、第１スピーカ１１がユーザ５０の左耳に装着されたスピーカであって、第２スピーカ１２がユーザの右耳に装着されたスピーカであると特定する。一方、第３受光部１５が受光した赤外線信号の波高値が、第４受光部１６が受光した赤外線信号の波高値よりも小さい場合には、ユーザ５０が発光部３２に対して正対していることを考慮すると、第２スピーカ１２における、波高値の小さい赤外線信号を受信した第３受光部１４が配置された側が後方側であり、波高値の大きい赤外線信号を受信した第４受光部１６が配置された側が前方側である。従って、切替制御部２３は、第１スピーカ１１がユーザ５０の右耳に装着されたスピーカであって、第２スピーカ１２がユーザの左耳に装着されたスピーカであると特定する。
【００３０】
また、ユーザ５０が発光部３２に対して正対していなくても、予め定められた向きであれば、同様に本発明を適用することができる。
【００３１】
例えば、ユーザ５０の右方に発光部３２が位置している場合には、切替制御部２３は、第１受光部１３が受光した赤外線信号の波高値と第３受光部１５が受光した赤外線信号の波高値とを比較する。そして、第１受光部１３が受光した赤外線信号の波高値が、第３受光部１５が受光した赤外線信号の波高値よりも大きい場合には、切替制御部２３は、第１受光部１３が配置された第１スピーカ１１がユーザ５０の右耳に装着されたスピーカであって、第３受光部１５が配置された第２スピーカ１２がユーザの左耳に装着されたスピーカであると特定し、第１スピーカ１１に右のオーディオ信号が入力され、第２スピーカ１２に左のオーディオ信号が入力されるように、出力切替部２４を制御する。一方、第１受光部１３が受光した赤外線信号の波高値が、第３受光部１５が受光した赤外線信号の波高値よりも小さい場合には、切替制御部２３は、第１受光部１３が配置された第１スピーカ１１がユーザ５０の左耳に装着されたスピーカであって、第３受光部１５が配置された第２スピーカ１２がユーザの右耳に装着されたスピーカであると特定し、第１スピーカ１１に左のオーディオ信号が入力され、第２スピーカ１２に右のオーディオ信号が入力されるように、出力切替部２４を制御する。
【産業上の利用可能性】
【００３２】
以上、説明したように、本発明に係るワイヤレスヘッドホン装置は、装着時の煩雑さを解消することができ、ワイヤレスヘッドホン装置として有用である。
【図面の簡単な説明】
【００３３】
【図１】車載用オーディオシステムの外観図である。
【図２】ワイヤレスヘッドホン装置の詳細な外観図である。
【図３】信号出力回路の構成を示す図である。
【図４】信号出力回路の動作を示すフローチャートである。
【符号の説明】
【００３４】
１０  ワイヤレスヘッドホン装置
１１  第１スピーカ
１２  第２スピーカ
１３  第１受光部
１４  第２受光部
１５  第３受光部
１６  第４受光部
２０  信号出力回路
２１  赤外線チューナ
２２  波高値検出部
２３  切替制御部
２４  出力切替部
２５  アンプ
３０  オーディオ装置本体
３１  表示部
３２  発光部
５０  ユーザ
【図１】
2007174383.tif 000003
【図２】
2007174383.tif 000004
【図３】
2007174383.tif 000005
【図４】
2007174383.tif 000006